(57)【特許請求の範囲】
【請求項１】
メガネフレームのフロント部両側に取付けられるツルにおいて、該ツルはツル本体とその先端に連結されるモダンから成り、ツル本体はその長手方向に沿って多角形断面の穴を有すと共に先端にはネジ穴を設け、モダンはその長手方向に圧入した芯を延ばして他端には多角形断面の回り止め具を設け、そして上記芯には一部にスリット溝を形成したスリーブを嵌めると共にスリーブ外周に設けたネジ部にはナットを螺合し、上記芯をツル本体の穴に挿入し、スリーブのネジ部をツル本体先端のネジ穴に螺合して連結したことを特徴とするメガネフレームのツル。
【請求項２】
メガネフレームのフロント部両側に取付けられるツルにおいて、該ツルはツル本体とその先端に連結されて耳外輪内の窪みに係合するパットを有す係合ツルから成り、ツル本体はその長手方向に沿って多角形断面の穴を有すと共に先端にはネジ穴を設け、上記係合ツルは芯先端を概略Ｌ形に屈曲又は湾曲した止着部にパットを取付けると共に、他端には多角形断面の回り止め具を設け、そして芯には一部にスリット溝を形成したスリーブを嵌めると共にスリーブ外周に設けたネジ部にはナットを螺合し、上記芯をツル本体の穴に挿入し、スリーブのネジ部をツル本体先端のネジ穴に螺合して連結し、そして芯を適度な長さに調整してナットを締付け・ロックすることを特徴とするメガネフレームのツル。
【発明の詳細な説明】
【技術分野】
【０００１】
本発明はメガネを顔に掛ける場合に、フロント部は鼻当てパットを介して鼻で支持され、またフロント部から延びるツルは耳に掛けられるが、本発明は耳に係止することが出来るモダンを備えることが出来、一方では耳外輪内側にある窪みに係合するパットを有す係合ツルを備えることが出来るメガネフレームのツルに関するものである。
【背景技術】
【０００２】
メガネはフロント部と該フロント部の両側に取付けられているツルから成り、該ツルは蝶番等の継手を介して折畳むことが出来る。フロント部の形態は色々あって、一般的には、両リムを連結部材にて連結すると共にリム外側にはヨロイをロウ付けして構成している。又、リムとして上側半分のハーフリムを使用し、レンズ下側は水糸にて保持するタイプのフロント部もある。更には、リムを用いることなく両レンズを連結部材の両側に直接ネジ止めすると共に、レンズ外側にはヨロイを直接ネジ止めして構成する縁なしメガネも多用されている。
【０００３】
そして、これら各フロント部には鼻の甲に当たって支持される鼻当てパットが取付けられ、フロント部の両側から延びるツルは顔側面から耳に達し、ツル先端部に挿着している概略Ｌ形のモダンが耳に係止することが出来るように成っている。このように、メガネは鼻当てパットとツルとで顔に安定して掛けることが出来る。
【０００４】
顔に掛けたメガネが位置ズレしないように、勿論、顔から外れないように色々な工夫が成され、鼻の甲に当ってフロント部が支持される鼻当てパットの材質として柔らかいシリコン樹脂を使用して、滑らないように又肌当りを良好ならしめている。又モダンの内側にもシリコン樹脂層を設けたり、細かい凹凸面とするなどの工夫が行なわれている。
【０００５】
ところで、新聞や雑誌を読む際に一時的に掛ける老眼鏡の場合、フロント部をコンパクトにしたメガネが好まれる場合が多い。これは、携帯が便利な為でもあり、又新聞、雑誌を一時的に読む際に大きなレンズをフロント部に嵌める必要性も少ない。このように、フロント部のサイズを小さくしても、該フロント部から耳に係止するように延びるツルの長さを短くすることは出来ず、従来のメガネフレームの形態では、メガネ全体としてのサイズをコンパクト化することは不可能である。一方、ツル先端部に設けたモダンを耳に掛けてメガネを着用する場合、運動すると該メガネは外れ落ちしてしまう。少なくとも位置ズレする。
【０００６】
そこで、ツルを短くして先端にパットを取付けたツル形態が知られ、該パットは耳外輪の窪みに係合することが出来る。従って、ツルを折畳んだ際には全体が非常にコンパクト化して携帯に便利であると共に、着用したメガネは位置ズレすることはなく、少なくとも外れ落ちることはない。このような短いツルを備えたメガネとして、例えば実開平４−５０８１８号に係る「眼鏡のつる」が知られている。該ツルの自由端部には人体の耳凹所に係合し得る係合部が形成されている。
【０００７】
しかし、人の耳の形状は千差万別であり、ツルの自由先端部に係合部を形成しても、該係合部が耳外輪内の窪み(凹所)に係合し難い場合が多い。無理に係合すれば痛みを感じ、時には外れ落ちる場合もある。同公報にはツル全体をスプリングで構成している具体例も説明されているが、スプリングから成るツルでは全体が撓み変形して、窪みに係合する際の係合圧が小さ過ぎてメガネを掛けた際のフィット感が得られなく、メガネが外れ易い。
【０００８】
そこで出願人は耳外輪内の窪み(凹所)に先端係止部を係止してメガネを掛けることが出来るツルを開発し、平成１５年７月１４日付けで特許出願を行い、平成１６年８月１３日付けで登録されている(特許第３５８４３７８号)。しかし、これら従来のメガネフレームのツルはフロント部と一体化した構造であり、モダン付のツルに交換することは出来ない。すなわち、１つのメガネを用途に応じてツルを交換できる構造とは成っていない。
【特許文献１】実開平４−５０８１８号に係る「眼鏡のつる」
【特許文献２】特許第３５８４３７８号に係る「メガネフレームのツル」
【発明の開示】
【発明が解決しようとする課題】
【０００９】
このように、短い係合ツルを備えた従来のメガネフレームには上記のごとき問題がある。本発明が解決しようとする課題はこの問題点であり、耳の外輪窪みに係合することが出来る短いツルと、先端部にモダンを備えた長いツルを必要に応じて交換することが出来、又はメガネ購入時に何れかのツルを選択することが出来るメガネフレームのツルを提供する。ここで、対象とするメガネは老眼鏡に限るものではなく、一般の近眼用メガネやサングラス等も含まれる。
【課題を解決するための手段】
【００１０】
本発明が対象とするメガネは矯正用メガネであってもサングラスであってもよく、フロント部の両側には蝶番などの継手を介してツルが折畳み出来るように取付けられている。そして、ツル先端部は交換できる構造と成っており、モダンを取付けたり、耳外輪窪みに係合する係合ツルを取付けることが出来る。ここで、メガネ購入時にモダン又は係合ツルの何れかを選択することが出来、時にはモダンと係合ツルの両方を購入して用途に応じて顧客が使い分けることも可能であり、本発明はメガネの使用方法は限定しない。
【００１１】
ところで、ツル本体の先端にネジ穴が設けられ、該ネジ穴の底から多角形断面の穴が所定深さまで延びている。モダンには材質を限定しない芯が挿入されると共に芯の基部にはネジが設けられている。そこで、該モダンをツル本体に取付ける場合には、このネジ穴に芯基部のネジを螺合して連結される。本発明ではモダンの材質は限定せず、材質によっては芯を圧入しない場合もある。
【００１２】
一方の係合ツルを取付ける場合には、耳外輪の窪みが人によって多少異なるために、その先端パットの位置が変更出来るように、長さ調整機能が備わっている。基部を多角形断面とした芯の先端は概略Ｌ形に屈曲して、その先端部にはパットが取付けられ、該芯にはスリーブが嵌り、該スリーブ外周に形成したネジ部には締付けナットが螺合する。
【００１３】
上記芯はツル本体の穴に嵌り、基部に設けた多角形断面が嵌合することで回転することはなく、先端に取付けたパットの向きは一定する。そして、芯に嵌めたスリーブ外周のネジはツル本体先端のネジ穴に螺合し、締付けナットを締めることでスリーブが収縮して芯をロックすることが出来る。締付けナットを弛めることで芯はツル本体の穴に沿って伸縮可能と成る。
ここで、長さ調整機能は係合ツルに場合に限らず、芯を延ばすことでモダンの場合にも適用することは可能である。
【発明の効果】
【００１４】
本発明に係るメガネフレームのツルはツル本体にモダンを取付けることが出来、又耳外輪内の窪みに先端パットが係合する係合ツルを取付けることが出来る。従って、フロント部とツル本体を共通した上で、顧客の選択で好みのタイプのツルを取付けて購入することが可能と成る。勿論、モダンと係合ツルの両方を購入して顧客が使い分けることも出来る。そして、係合ツルの場合には先端パットの位置が調整できるように芯はツル本体の穴をスライド可能とされている。
【実施例】
【００１５】
図１は金属製メガネフレームであり、フロント部１とツル２，２から成り、フロント部１は、両リム３，３が連結部材４にて連結され、リム外側にはヨロイ５，５がロウ付けされた構造とし、ツル２，２は上記ヨロイ５，５に蝶番６，６を介して折畳み出来るように取付けられている。又、リム３，３の内側であって連結部材４の下側には鼻当てパット７，７が取付けられている。
【００１６】
ところで、ツル２はツル本体８と樹脂製のモダン９からなり、該モダン９は取外すことが出来る。本発明はツル２を対象としている為に、フロント部１の形態やその構造は限定せず、同図のごときレンズが嵌るリム３を備えたフロント部１に限らず、上側半分のハーフリムと下側には水糸を張設したフロント部、又は両レンズを連結部材の両側に直接ネジ止めし、レンズ外側にはヨロイをネジ止めした縁なしメガネと一般に称されるフロント部として構成することもある。
【００１７】
図２に示すメガネフレームでは、そのフロント部１は前記図１の場合と同じ形態であるが、ツル２の形態は違っている。すなわち、図１のメガネフレームはモダン９を備えたツル２であるが、図２のメガネフレームでは係合ツル１０を備えたツル２と成っている。係合ツル１０は先端にパット１１が取付けられ、該パット１１は耳外輪内の窪みに係合することが出来る。ツル２のツル本体８は両メガネフレームとも共通し、好みに応じてモダン９を連結することが出来、又係合ツル１０を連結することも出来る。
【００１８】
図３はツル本体８の先端部側を表している。ツル本体８の先端には金属製のボス１２が形成され、そして中心軸に沿って穴１３が設けられ、穴先端にはネジ穴１４を形成している。穴１３の断面は正方形を成し、外形の断面は(ｂ)に示すように正方形、六角形、円形、八角形など色々な形状とすることが出来る。勿論、穴断面の形状も正方形に限るものではない。
【００１９】
図４はモダン９を単独で示す具体例であり、滑らかに湾曲した樹脂部材で中心軸には芯金が圧入され、芯金端にはネジ１５が設けられて外に露出している。そして、このモダン９をツル本体８に連結して取付けた状態が図５に示したツル２である。図５のツル本体８は前記図３に示している場合と外形は違っているが、先端にはボス１２が設けられ、このボス１２のネジ穴１４に芯金端部のネジ１５が螺合して連結される。
【００２０】
ところで、図３に示すツル本体８には上記モダン９ではなく、係合ツル１０を連結して取付けることが出来る。図６(ｂ)は係合ツル１０を示す具体例であり、芯金１６の先端はＬ形に屈曲し、止着部１７にはパット１１が取付けられている。そして、該芯金１６にはスリーブ１８が嵌り、該スリーブ１８の外周に形成したネジ部２０にはナット１９が螺合して(ｂ)に示す係合ツル１０となる。
【００２１】
スリーブ１８は筒体であって、その一部にはスリット溝２１，２１・・が形成され、芯金１６に嵌めた状態でナット１９を締めるならばスリーブ１８が締まって芯金１６にロックされる。又、芯金１６の端には正方形断面の回り止め金具２２が固定されている。そして、この係合ツル１０は前記図３に示しているツル本体８に連結して取付けられる。
【００２２】
図７は係合ツル１０をツル本体８に取付けた場合を示している。係合ツル１０の芯金１６はツル本体８の穴１３に挿入され、しかも正方形断面の回り止め金具２２が先端に取着されている為に、同じ正方形断面の穴１３に嵌合することで、係合ツル１０は回転しない。そして、スリーブ１８の他方のネジ部２３を先端ボス１２のネジ穴１４に螺合して連結する。
【００２３】
従って、芯金１６はツル本体８の穴１３に挿入された状態で取付けられ、しかも穴１３をスライドすることが出来、しかし先端回り止め金具２２によって回転は阻止される。図７(ａ)は芯金１６をツル本体８の穴１３に深く挿入した状態で、ナット１９を締付け・ロックした場合である。スリーブ１８はツル本体８のネジ穴１４に螺合して連結・固定されるが、芯金１６はスリーブ１８をスライドし、ナット１９を締付けることでスリーブ１８が収縮してロックされる。(ｂ)は芯金１６を伸ばした状態でナット１９を締付け・ロックした場合である。
【００２４】
図８は先端部にモダン９を取付けたツル2の長さ調整機構を示している。すなわち、モダン９は前記図4に示しているように、滑らかに湾曲した樹脂部材で中心軸には芯金が圧入され、芯金端にはネジ１５が設けられて外に露出している。そして、このネジ１５をツル本体８のネジ穴14に螺合することでモダン９を取付けている。ところが、図８では係止ツル１０の場合と同じく芯金２４を使用し、該芯金２４にはスリーブ１８を嵌め、該スリーブ18に設けているネジ部２０にはナット１９を螺合している。
【００２５】
従って、図８(ｂ)に示すように、芯金２４の端部をツル本体８の中心軸に設けている穴１３に挿入すると共に、スリーブ18のネジ部２３をツル本体８の先端ボス12に設けているネジ穴14に螺合して連結することが出来る。ここで、ナット１９を弛めるならば、スリーブ１８芯金２４のロックが解除されて伸縮することが出来る。芯金２４が適当な長さに設定されたところで、モダン９に該芯金２４を圧入し、(ｃ)に示すように曲げ成形する。芯金２４の端には回り止め金具２２が固定されている為に、モダン９の向きが変わることはない。
【図面の簡単な説明】
【００２６】
【図１】ツルにモダンを備えたメガネフレーム。
【図２】ツルに係合ツルを備えたメガネフレーム。
【図３】ツル本体を示す具体例。
【図４】モダンの具体例。
【図５】ツル本体にモダンを連結したツル。
【図６】係合ツルの具体例。
【図７】ツル本体に係合ツルを連結したツル。
【図８】伸縮調整が出来る芯金にモダンを取付けた実施例。
【符号の説明】
【００２７】
１  フロント部
２  ツル
３  リム
４  連結部材
５  ヨロイ
６  蝶番
７  鼻当てパット
８  ツル本体
９  モダン
10  係合ツル
11  パット
12  ボス
13  穴
14  ネジ穴
15  ネジ
16  芯金
17  止着部
18  スリーブ
19  ナット
20  ネジ部
21  スリット溝
22  回り止め金具
23  ネジ部
24  芯金
【図１】
0004792263.tif 000002
【図２】
0004792263.tif 000003
【図３】
0004792263.tif 000004
【図４】
0004792263.tif 000005
【図５】
0004792263.tif 000006
【図６】
0004792263.tif 000007
【図７】
0004792263.tif 000008
【図８】
0004792263.tif 000009